(57)【要約】【課題】  カセッテ自体やカセッテを収蔵する強固な剛性を有する保護カバーを収容して、使用中は患者にやさしく接触し、使用後は安全に廃棄されてＸ線撮影による汚染感染の拡大を防止できるカセッテカバーを提供すること。【解決手段】  カセッテを収容する直方体状で一面が柔軟性吸水材の他面滑動性材からなり、一端の開口部１１が蓋２で開閉自在に蓋され、長手方向他端の底面部５の内面に引込み片６が折曲自在に突設され、両側面部４は長手方向に沿ってマチで折り重ね自在に形成され、上面部１の長手方向他端部には厚手のクッション材７が配設される。  このほか、上面部４分割点に十字マーク９が配設され、両隅角部には十字マーク９の横基線に位相を合致させた逆Ｌ字マーク１０が配設される。【選択図】  図１
2008233300.tif 000002
【特許請求の範囲】
【請求項１】
Ｘ線撮影用カセッテ類を収容する直方体状の袋において、該袋の上面部側の材質は一面が柔軟性保水材、地面が滑動性防水材とし、下面部側の材質は滑動性防水材とし、袋の長手方向一端の開口部は上面部側に設けた蓋で開閉自在とされ、長手方向他端の底面部内面には引込み片が折曲自在に突設され、両側面部は長手方向に沿って折り重ね自在に接合され、上面部の長手方向他端部には厚手のクッション材が配設されて成るカセッテカバー。
【請求項２】
前記袋体の上面部４分割点に十字マークが配設され、両側面部から上面部に渡る隅角部には逆Ｌ字マークが前記十字マークの横基線に位相を合致させて配設されて成る請求項１記載のカセッテカバー。
【発明の詳細な説明】
【技術分野】
【０００１】
本発明は、医療分野においてＸ線撮影に用いられるカセッテ、或はカセッテを収蔵する保護カバーに被覆するカバーに関する。
【背景技術】
【０００２】
Ｘ線撮影用カセッテを収蔵するカバーとして、特開２００６−２９３３６８号公報（特許文献１）に「画像検出器用カバー」が提案されている。この特許文献１に開示されたカバーは、画像検出器を不測の事態による落下などで損傷しないように保護するためのもので、プラスチックや構造複合材などの強固な剛性軽量材で提供され専ら画像検出器の保護を目的としている。
ところで、画像検出器は入院患者のＸ線撮影に複数回用いられるため、MRSAの感染者に使用されたものが不用意に使用されると、他の患者に感染することがあり院内感染が拡大してゆくおそれがある。
また、病室でのＸ線撮影では仰臥する患者の背骨に固いカセッテが当り苦痛を強いているという問題がある。
【特許文献１】特開２００６−２９３３６８号公報
【発明の開示】
【発明が解決しようとする課題】
【０００３】
本発明は上記実情に鑑みて、カセッテ自体やカセッテを収蔵する強固な剛性を有する保護カバーを収容してＸ線撮影に使用中は患者にやさしく接触し、使用後は安全に廃棄されてＸ線撮影による汚染感染の拡大を防止するカセッテカバーを提供しようとするものである。
【課題を解決するための手段】
【０００４】
本発明の請求項１に記載されたカセッテカバーは、平面視縦長矩形の直方体状で一面が柔軟性保水材、他面が滑動性防水材からなる袋本体の、長手方向一端の開口部が上面部に設けられた蓋で開閉自在に蓋され、長手方向他端の底面部の内面には引込み片が折曲自在に突設され、両側面部は上面部と下面部が長手方向に沿って折り重ね自在に縫合され、上面部の長手方向他端部には厚手のクッション材が配設されて成る。
請求項２に記載されたカセッテカバーは、請求項１に記載されたカセッテカバーにおいて、前記袋体の上面部４分割点に十字マークが配設され、両側面部から上面部に渡る隅角部には逆Ｌ字マークが前記十字マークの横基線に位相を合致させて配設されて成る。
【発明の効果】
【０００５】
本発明のカセッテカバーによれば、カセッテ使用時の細菌や汚染物がカセッテに付着することがないので衛生的に複数人に渡り複数回使用できる上、撮影時の痛みが緩和される効果がある。
【発明を実施するための最良の形態】
【０００６】
本発明における袋本体は、基本的には柔軟材による上面部（蓋となる寸法だけ下面部寸法より長尺）と下面部と両側面部とから構成され、上面部と下面部は両側面部をマチとして各上下の隅角部で縫合され、かつ、両者はその底面部の高さ方向の中央内面に引込み片を形成するように縫い代を出す状態で縫合されるとともに、マチに対しても両者はその隅角部で縫合される。このとき、選択される材質はJMSシーツ（製品名）や紙おむつのような、一面が水を通さない滑動性のある防水材からなり、他面が水を通して保水する保水材からなるものが用いられるが、下面部側は保水材を除き滑動性防水材でよい。
各部材の縫合に際しては、カセッテカバーとして使用する場合の状態を考慮して、上面部（底面部の半分に及ぶ）及び側面部ではその外面が人体に接触する関係から保水材側を外面に向け、下面部ではその外面がベッドに接触する面であるから、滑り易くするために摩擦抵抗の小さいナイロンなどの滑動性のある防水材側が外面に向けられて各部が縫合される。
なお、袋本体の形成は前記縫合に限定されるものではなく、全体が滑動性のある滑り易い材質のものにして、テーブルやベッド上でも移動し易く、また、カセッテやカセッテ保護カバー、リスホルムブレンデ（鉛の格子）などの挿入もし易いものとし、上面部と両側面部及び底面部の外面に保水材を貼着したものも提供され、この場合も底面部の内面には引込み片が全幅に渡るものから部分的に接合される。
また、上面部の蓋の開閉に関与する接着テープは中央に一個所のものから、幅方向複数個所に設けられるものもある。上面部の底面部側に配設されるクッション材は柔軟なゴム材やスポンジ材が充当される。
【実施例】
【０００７】
本発明のカセッテカバーＡを実施例により説明すると、図１に示すように、幅400mm、長さ470mm、高さ20mmの平面視縦長矩形の直方体状の袋で後記する材質が用いられる。そして、上面部１（蓋２となる100mmだけ下面部３より長尺）と下面部３と両側面部４とから構成され、上面部１と下面部３は両側面部４をマチとして各辺縁の隅角部で縫合され、かつ、両者はその底面部５の高さ方向の中央で縫合されてその縫い代が引込み片６として内面に形成される。これらの材質は、上面部１と蓋２と側面部４の上部側にはJMSシーツや紙おむつのような一面がナイロンの滑動性のある防水材で他面が保水材から成るものが用いられる。下面部３には滑動性のあるもののみが用いられる。上面部１と両側面部４は保水材側を外面に向け、底面部５は防水材側を外面に向けてそれぞれ前記の要領で縫合される。上面部１の底面部５寄りの上面には厚手のクッション材７が貼着され、蓋２の幅方向中央の上面には接着テープ８の一端が接合される。さらに、上面部１の中央の４分割点には黒線による十字マーク９が付され、両側面部４から上面部１に渡る隅角部には黒線による逆Ｌ字マーク１０が十字マーク９の横基線に位相を合致させて配設される。
【０００８】
このようにして成るカセッテカバーＡは、医療施設での患者のＸ線撮影時に、カセッテ自体或はカセッテを剛性大なる保護カバーに収蔵したものやリスホルムブレンデをともに収容し、開口部１１を閉じた蓋２を接着テープ８で下面部３に止着する。
このような状態でカセッテカバーＡの開口部１１を仰臥位の患者の頭部方向に向け、底面部５を患者の足部方向に向けて患者の関心領域に設けられてＸ線撮影が行なわれる。胸部Ｘ線撮影ではカセッテカバーＡの奥の方（底面部側）が患者の脊椎又は腰椎に接するが、クッション材７によって従来生じていた痛みが緩和される。両側面部４は患者の体重によりマチ部で折り重なる。
Ｘ線撮影終了後のカセッテカバーＡは、その全外面が細菌や汚物によって汚染されている可能性がある。そこで、下面部３から接着テープ８を剥がし、蓋２を開けてカセッテなどの画像検出器（図外）を開口部１１から注意深く取り出し、次いで、空になったカセッテカバーＡの開口部１１から内部に一方の手を入れて底面部５の内面の引込み片６を摘み、他方の手で開口部１１を掴んで引込み片６を引き抜くと、カセッテカバーＡは図２に示すように、内側と外側が反転し、外側の外面に付着した細菌や汚物は内側にしまい込まれる。これを適宜に小さくたたみ、接着テープ８で止め汚物入れに廃棄する。
このように、カセッテやカセッテを収蔵するカバーを患者に苦痛を与えないで衛生的に使用させ、使用後のカセッテカバーＡは安全に廃棄されるから、Ｘ線撮影による院内感染などの問題が解消される。
【産業上の利用可能性】
【０００９】
本発明のカセッテカバーＡは、衛生面で安全にＸ線撮影に寄与できる上、撮影時の痛みが緩和されるから、医療施設に要望され医療関連業界の活性化にも資するものである。
【図面の簡単な説明】
【００１０】
【図１】本発明に係るカセッテカバーＡの斜視図。
【図２】カセッテカバーＡの反転状態の縦断面図。
【符号の説明】
【００１１】
１：上面部
２：蓋
３：下面部
４：側面部
５：底面部
６：引込み片
７：クッション材
８：接着テープ
９：十字マーク
１０：逆Ｌ字マーク
１１：開口部
Ａ：カセッテカバー
【図１】
2008233300.tif 000003
【図２】
2008233300.tif 000004